(57)【要約】      （修正有）【課題】接続側の拡径部に設けた端板の耐引っ張り応力が大きな拡径部を備えたプレストレストコンクリート杭を提供することにある。【解決手段】杭体部に配設したＰＣ鋼棒５を拡径部４で外周側に所定角度折り曲げ、その先端部を前記拡径部の端面に設置した端板７に定着するようにした構造。【選択図】図１
0003140313.tif 000002
【実用新案登録請求の範囲】
【請求項１】
拡径部を有するプレストレストコンクリート杭の接続側に形成した前記拡径部において、杭体部に配設したＰＣ鋼棒を外周側に所定角度折り曲げ、該折り曲げ部の先端部を前記拡径部の端面に設置した端板に定着する構造としたことを特徴とする拡径部を有するプレストレストコンクリート杭。
【請求項２】
接続側に形成した前記拡径部において、杭体部に配設した前記ＰＣ鋼棒の外周側への折り曲げ角度が１０°以下であることを特徴とする請求項１記載の拡径部を有するプレストレストコンクリート杭。
【請求項３】
請求項１又は請求項２の拡径部をＰＲＣ構造としたことを特徴とする拡径部を有するプレストレストコンクリート杭。
【考案の詳細な説明】
【技術分野】
【０００１】
本願考案は、拡径部を有するプレストレストコンクリート杭に関し、詳しくは、杭の接
続側に形成した前記拡径部に補強を施した拡径部を有するプレストレストコンクリート杭
に関する。
【背景技術】
【０００２】
地震等が発生した場合、地盤中に打設した基礎杭のうち地表面から比較的浅いところに
位置する部分に最も大きな水平加重がかかることは知られている。そこで、大きな耐曲げ
モーメントや剪断耐力が要求されるところに位置する部分には、図２に示すように、杭径
の大きな上杭１０を用い、その下方部に建て込む下杭として前記上杭１０の杭径より小径
のもの、すなわち大径の上杭１０より価格的に廉価な小径の下杭１１（図面に示す実施の
形態では拡径部を備えたプレストレストコンクリート節杭）を使用し、該下杭１１の上に
上杭１０を連結することで基礎杭を構築している。
【０００３】
そこで、下杭１１の上部にこれよりも大きな径の上杭１０を連結するような場合、一つ
の方法として、図２及び図３に示すように、下杭１１の接続側となる上端部にこれと接続
する上杭１０と同一大きさの外径を備えた拡径部１２を形成し、該拡径部１２の端面に設
置した端板１３と上杭１０の下端面に設置した端板１０Ａとを突き合わせ、上下両端板１
３，１０Ａの接合部分を溶接することで、上下両杭１０，１１を一体に連結するような基
礎杭の構築方法を採用している。
【０００４】
一般に、従来の拡径部１２を備えた下杭１１は、図３に示すように、全長の大部分が上
杭１０の杭径より小さな杭径で構成されており、該下杭１１の杭体部に緊張状態で配設し
たＰＣ鋼材１４は、小径部１５に適合した配筋構造とする関係から、拡径部１２にあって
は杭中空部の周辺部分、すなわち拡径部１２の外周から比較的離れた部分に位置し、その
先端部は拡径部内をそのまま杭軸方向に真っ直ぐ突き進んだ位置で前記拡径部１２の端板
１３に定着される構成となる。
【考案の開示】
【考案が解決しようとする課題】
【０００５】
上記のように、拡径部１２を備えたプレストレストコンクリート節杭１１にあって、そ
の杭体部に配設したＰＣ鋼材１４の先端が、上杭１０との接続部となる拡径部１２の端面
に設置した端板１３に、外周から離れた位置で定着することになる（図３参照）。しかる
に、ＰＣ鋼材１４の定着位置が端板１３の外周から離れることで、該端板１３の耐引っ張
り応力が小さくなり、端板１３に発生する許容応力を越える場合がある。その結果、地震
発生時において、節杭１１の継手部が損傷或いは破壊に至るといった問題点がある。本考
案は、上記のような従来の拡径部を備えたプレストレストコンクリート杭が有する継手部
における問題点を解決したプレストレストコンクリート杭を提供することを目的としたも
のである。
【課題を解決するための手段】
【０００６】
上記の目的を達成するため、本願の請求項１に係る考案は、拡径部を有するプレストレ
ストコンクリート杭の接続側に形成した前記拡径部において、杭体部に配設したＰＣ鋼棒
を外周側に所定角度折り曲げ、該折り曲げ部の先端部を前記拡径部の端面に設置した端板
に定着する構造としたことを特徴とする。
【０００７】
また、上記の目的を達成するため、本願の請求項２に係る考案は、接続側に形成した前
記拡径部において、杭体部に配設した前記ＰＣ鋼棒の外周側への折り曲げ角度が１０°以
下であることを特徴とし、更に、本願の請求項３に係る考案は、前記拡径部をＰＲＣ構造
としたことを特徴とする。
【考案の効果】
【０００８】
本考案を請求項１に記載した上記のような構成とすることで、杭体部に配設したＰＣ鋼
棒は拡径部側において、その端面に設置した端板と外周から近い位置で定着することにな
り、端板の曲げ引っ張り許容応力が向上する。また、本考案を請求項２に記載した構成と
することで、請求項１に記載の発明が奏する効果に加え、前記ＰＣ鋼棒の緊張力の分布に
悪影響を与えることがないといった諸効果も奏する。
【考案を実施するための最良の形態】
【０００９】
以下、本願考案を図面に示す実施の形態を参照しながら詳細に説明する。図１及び図２
において、１は軟弱地盤に打設する下杭として使用して最適な節杭で、その胴部２（小径
部）には節杭１の長手方向に沿って複数の突出した節部３，３が所定の間隔をおいて形成
されており、この節杭の上端部には前記節部３の径Ｄと同一大きさの径Ｄからなる後述す
る拡径部４を備えている。
【００１０】
４は拡径部で、この拡径部４は上記のように、前記節部３の径Ｄと同一大きさの径の外
径Ｄで形成されているが、更には使用状態を示す図２に示すように、この節杭１の上に接
続する上杭１０の外径とも同一の大きさの径Ｄに形成されたものであり、前記拡径部４は
上杭１０との接続側に設けられている。ここで、下杭の実施形態として、前記図１及び図
２に示すような、小径部２に節部３を所定の間隔をおいて形成した節杭１について説明し
たが、小径部２に節部３の無いストレート杭であっても良い。
【００１１】
５は杭体部に緊張状態で配設したＰＣ鋼棒で、節杭１の先端部１Ａから他方の拡径部４
まで全長にわたって設置されており、杭の先端部１Ａに設置した端板６に一端を定着した
前記ＰＣ鋼棒５の他端は、前記拡径部４の長さの約１／２の部分まで真っ直ぐに伸び、こ
の部分で杭の外周側へ所定角度折り曲げられ、そしてこの折り曲げ角度を保持しながら真
っ直ぐに伸び、前記拡径部４の端面に設置した端板７に定着されている。
【００１２】
このように、本考案に係る拡径部４を備えたプレストレストコンクリート節杭１にあっ
ては、杭体部に設置された前記ＰＣ鋼棒５は、前記拡径部４の部分で外周側へ折り曲げら
れて端板７に定着されている。したがって、ＰＣ鋼棒５の他端と端板７との定着位置は、
図１に示すように、杭の外周、ひいては端板７の外周から近い位置に設置されることにな
る。そのため、接続側の拡径部４に設置した前記端板７の引っ張り許容応力度が大きくな
り、節杭１の継手部８における損傷や破壊を減少させることができる。
【００１３】
一方、ＰＣ鋼棒５の前記拡径部４における外周側への折り曲げ角度（θ）が所定値より
大きくなり過ぎると、前記ＰＣ鋼棒５の緊張力の分布に影響を与えることになる。したが
って、本考案にあって、前記ＰＣ鋼棒５の外周側への折り曲げ角度は１０°以下、より好
ましくは５°以下とすることが望ましい。
【図面の簡単な説明】
【００１４】
【図１】本考案に係る拡径部を備えたプレストレストコンクリート節杭の一部を省略し、左半部を縦断面とした正面図と平面図である。
【図２】本考案に係る拡径部を備えたプレストレストコンクリート節杭の使用状態を示す正面図である。
【図３】従来の拡径部を備えたプレストレストコンクリート節杭の一部を省略し、左半部を縦断面とした正面図と平面図である。
【符号の説明】
【００１５】
１  節杭
１Ａ  先端部
２  胴部（小径部）
３  節部
４  拡径部
５  ＰＣ鋼棒
６  先端部の端板
７  拡径部の端板
【図１】
0003140313.tif 000003
【図２】
0003140313.tif 000004
【図３】
0003140313.tif 000005